(57)【特許請求の範囲】
【請求項１】
コンピュータの表示装置上にマウスポインタ操作用の領域である操作領域を配置し、該操作領域内を移動可能な擬似ポインタによって、該操作領域内に配置された複数の操作用図形のうち１つを指示選択することにより、当該操作用図形に関連付けられたマウスポインタの移動およびマウスボタンの押下命令をＯＳに対し発行するマウス代替方法において、
マウスポインタの進行方向にオブジェクトが存在し、マウスポインタの現在の位置と当該オブジェクト間の距離が所定のしきい値内である場合、該オブジェクトに至る距離と当該進行方向からの軌道修正角度を操作者に通知する、マウスポインタの誘導方法。
【請求項２】
表示装置上にマウスポインタ操作用の領域である操作領域を配置し、該操作領域内を移動可能な擬似ポインタによって、該操作領域内に配置された複数の操作用図形のうち１つを指示選択することにより、当該操作用図形に関連付けられたマウスポインタの移動およびマウスボタンの押下命令をＯＳに対し発行するコンピュータにおける、マウスポインタの誘導方法であって、
マウスポインタの現在位置の座標を取得、蓄積するステップと、
画面上に存在する全てのオブジェクトの位置情報をＯＳから取得するステップと、
各オブジェクトについて、当該オブジェクトと前記マウスポインタの距離を算出し、該距離が所定の距離しきい値Ｄ以下であれば、マウスポインタの現在の座標と、蓄積された一定時間過去の座標を通る直線と、当該オブジェクトとマウスポインタの現在の座標を通る直線のなす角度を算出し、該角度が所定の角度閾値以下であれば、当該オブジェクトの名称、前記距離、前記角度をオブジェクトリストに記録するステップと、
前記オブジェクトリストの内容を前記操作者に通知するステップと
を有する、マウスポインタの誘導方法。
【請求項３】
表示装置上にマウスポインタ操作用の領域である操作領域を配置し、該操作領域内を移動可能な擬似ポインタによって、該操作領域内に配置された複数の操作用図形のうち１つを指示選択することにより、当該操作用図形に関連付けられたマウスポインタの移動およびマウスボタンの押下命令をＯＳに対し発行するコンピュータに、
マウスポインタの現在位置の座標を取得、蓄積する手順と、
画面上に存在する全てのオブジェクトの位置情報をＯＳから取得する手順と、
各オブジェクトについて、当該オブジェクトと前記マウスポインタの距離を算出し、該距離が所定の距離しきい値Ｄ以下であれば、マウスポインタの現在の座標と、蓄積された一定時間過去の座標を通る直線と、当該オブジェクトとマウスポインタの現在の座標を通る直線のなす角度を算出し、該角度が所定の角度閾値以下であれば、当該オブジェクトの名称、前記距離、前記角度をオブジェクトリストに記録する手順と、
前記オブジェクトリストの内容を前記操作者に通知する手順と
を実行させるためのマウスポインタ誘導プログラム。
【請求項４】
請求項３に記載のマウスポインタ誘導プログラムを記録した記録媒体。
【発明の詳細な説明】
【０００１】
【発明の属する技術分野】
本発明は、マウス代替方法におけるマウスポインタの誘導方法に関する。
【０００２】
【従来の技術】
近年のインターネットの普及に伴い、コミュニケーション手段としてのパーソナルコンピュータ（ＰＣ）利用が増加している。通常、コンピュータを使用するためにはマウスやキーボード等の入力デバイスが必要となるが、既存の入力デバイスの使用が困難な障害者に対しては、専用の手段が必要となる。
【０００３】
肢体不自由者を対象としたＰＣの入力手段としては各種装置が開発されており、体の残存機能を利用してマウス操作を代替する方法、例えば随意に頭部を動かすことのできる障害者に対しては、その動きを用いて画面上のボタンやアイコンを指示できるポインティングデバイスがマウス代替装置として開発されている。
【０００４】
頭部の動きを用いたマウス代替装置では、頭部に各種センサを装着し、その上下、左右の動きを検知する機構を具備したヘッドスペースポインターやヘッド・マスター・プラスのような製品や、ヘッドマウスのように反射マーカを頭部に添付し、ＣＣＤカメラ等によって撮影された動画像から画像処理によってマーカの領域を抽出する方法等の製品がある。
【０００５】
他にも特願平９−２３７１５１や特願２０００−１０７０７のようにセンサやマーカを身体の可動部位に装着してポインティングを行う方法がある。
【０００６】
いずれの方法も抽出されたセンサの位置、あるいはマーカの座標位置は、適宜座標変換された後にＰＣの表示装置上にポインタとして表示される。これにより、マーカやセンサの上下、左右の動きによって表示装置上のアイコンやボタン等のオブジェクトを指示することができる。
【０００７】
一方、操作者である肢体不自由者が抱える障害の度合は様々であり、その運動能力によってはマーカやセンサの上下、左右の動きが十分でなく、画面上の任意の点をダイレクトに指し示すことが困難である場合がある。
【０００８】
【発明が解決しようとする課題】
肢体不自由者が微小な動作でマウスポインタを操作する方法として、特定の領域内のみを移動可能であるような擬似ポインタを用い、当該領域に配置したマウスポインタへの指示命令を選択する方法がある。
【０００９】
具体的には表示装置上に擬似ポインタを操作する領域（操作領域）を配置する一方、前述したマーカやセンサの上下、左右の動きを所定の周期で取得し、適宜座標変換した後に操作領域内に擬似ポインタとして表示する。
【００１０】
操作領域内にはマウスポインタの移動およびマウスボタンの押下命令等の指示命令が予め関連付けられた複数の図形（操作用図形）が配置されており、これらを擬似ポインタによって指示選択することにより、当該操作用図形に関連付けられた指示命令がＯＳに通知される。
【００１１】
この方法によれば、実際のマウスポインタを擬似ポインタによって、いわば間接的に操作するため、操作者は擬似ポインタを表示装置上の操作領域でのみ移動させ、所望の命令が関連付けられた操作用図形を選択すればよい。また、例えば表示装置上でマウスポインタを１方向に連続的に移動させたい場合、マウスポインタの移動命令が関連付けられた特定の操作用図形を継続的に選択すればよく、その間、操作者は静止していればよい。したがって、従来の手法と比較し、マーカやセンサの上下、左右の動きが少なくてもマウスポインタの操作が可能になる利点がある。
【００１２】
しかしながら、上述した手法を用いて所望のオブジェクトを指示する際、擬似ポインタとマウスポインタの双方の位置を把握しながら、すなわち両ポインタ間で頻繁に視線を移動させつつマウスポインタの位置を微調整する必要があり、視線の移動に伴う疲労等が操作者の負担になる。
【００１３】
そこで本発明の目的は、肢体不自由者の間接的マウスポインタ操作において、少ない視線移動でポインタ位置の微調整を可能にする、マウスポインタの誘導方法を提供する。
【００１４】
【課題を解決するための手段】
上記目的を達成するため、本発明の、マウスポインタの誘導方法は、パソコン、ワーク
ステーション等のコンピュータの表示装置上にマウスポインタ操作用の領域（操作領域）を配置し、操作領域内を移動可能な擬似ポインタによって、当該操作領域内に配置された複数の図形のうち１つを指示選択することにより、当該図形に関連付けられたマウスポインタの移動およびマウスボタンの押下命令をＯＳに対し発行するマウス代替方法において、マウスポインタの進行方向にオブジェクトが存在し、マウスポインタの現在の位置と当該オブジェクト間の距離が所定のしきい値内である場合、当該オブジェクトに至る距離と当該進行方向からの軌道修正角度を操作者に通知することを特徴とする。
【００１５】
この構成によれば、操作者は提示された操作指示案内の情報をもとに擬似ポインタを操作することによって所望のオブジェクトへマウスポインタを移動させることができる。したがって、マウスポインタの動作に注視することなく擬似ポインタの操作に専念でき、少ない視線移動で間接的なマウスポインタ操作が可能になる。
【００１６】
なお、オブジェクトとは、例えば、ＰＣ画面におけるアイコンやボタン類、メニューバー等に表示されるメニュー、あるいはＰＣにおける操作や処理（複写、切り取り、貼り付け、消去、変形、ドラッグアンドドロップ）の対象となる物体や図形である。
【００１９】
【発明の実施の形態】
次に、本発明の実施の形態について図面を参照して説明する。
第１の実施形態
第１の実施形態はマウスポインタの現在の位置とオブジェクト間の位置関係を操作者に通知するものである。
【００２０】
図１は第１の実施形態のマウスポインタの誘導方法が実施される情報処理装置のブロック構成図である。
【００２１】
情報処理装置は主制御装置１と記憶装置２と表示装置３とマウス代替装置４とバス５で構成されている。
【００２２】
主制御装置１はＭＰＵおよびＲＡＭ等から構成され、本情報管理装置を統括的に管理している。このため、主制御装置１にはマウスポインタの誘導プログラム１１としての位置情報取得部１１ａ、位置情報記憶部１１ｂ、情報提示部１１ｄ、情報提示判定部１１ｃ、ならびにＯＳ１２が起動している。また、主制御装置１にはワープロソフト等のアプリケーションプログラム１３のほか、マウス代替装置４のＧＵＩ部分である擬似ポインタ操作部１４も動作している。なお、ＯＳ１２はマウスポインタおよびオブジェクトの位置座標を監視しており、マウスポインタの移動命令、およびシングルクリック、ダブルクリック等のマウスボタンに係る命令を受け、実行する機能も有する。
【００２３】
記憶装置２はハードディスク装置から構成され、マウスポインタ誘導プログラム１１、ＯＳ１２、アプリケーションプログラム１３等が格納されている。
【００２４】
表示装置３は液晶モニタ等から構成され、マウスポインタ、および擬似ポインタの動きを含めた主制御装置１における処理結果を表示する。
【００２５】
マウス代替装置４は擬似ポインタ操作部１４を用い、図２に示すように画面上に配置された操作領域Ｓの内部で擬似ポインタＰを移動させる。
【００２６】
次に、マウス代替装置４および擬似ポインタ操作部１４を説明する。
【００２７】
擬似ポインタを操作するマウス代替装置４は、操作者の動きを検出し、その動きをもとに擬似ポインタを操作するものであり、動きに反応するセンサの出力を適宜変換して画面上にポインタとして表示するもの、あるいはＣＣＤカメラ等の画像入力装置を用いるものでは、入力された連続する画像から特定の色領域を抽出した後、その中心座標を逐次求め、表示装置３上にポインタとして画面上に表示するものが利用できる。
【００２８】
マウス代替装置４によって表示装置３上に表示されるポインタを従来のマウスポインタＰと区別するため、擬似ポインタＱと表記する。
【００２９】
擬似ポインタ操作部１４は、表示装置３の画面上に操作領域Ｓおよび操作用図形を表示する。操作用図形には予めＯＳ１２への指示命令が関連付けられており、マウス代替装置４の操作に連動して、擬似ポインタＱを動作させ、操作領域Ｓ内に配置された操作用図形を選択することによりＯＳ１２に対し、指示命令を通知する機能を有する。
【００３０】
したがって、操作領域Ｓ内の操作用図形にマウスポインタＰの移動命令や、マウスボタンの押下命令等、マウスポインタＰに係る命令を予め関連付けておくことにより、操作者が操作領域Ｓ内に配置された複数の操作用図形のうち、所望の１つを指示選択すると、選択された各操作用図形に関連付けられたマウスポインタＰに係る命令はＯＳ１２に通知され、ＯＳ１２は当該命令を処理する。その結果、マウスポインタＰの移動やマウスポインタＰが指示するオブジェクトへの命令が実行される。
【００３１】
すなわち、本実施形態におけるマウス代替装置４は、マウスポインタを擬似ポインタＱによって間接的に操作するための入力装置として機能する。
【００３２】
なお、操作領域Ｓは画面上の任意の場所に配置できる。また、操作領域Ｓ内に配置する操作用図形としてはマウスポインタＰの移動命令が関連付けられたものやマウスボタンの押下命令等が関連付けられたもの、あるいはマウスポインタＰの移動速度に係る指示命令を関連付けたものを配置することができる。
【００３３】
次に、ポインタおよびオブジェクトを説明する。
【００３４】
図２に示すように、表示装置３の画面上にはオブジェクトＯとして、アイコンオブジェクトＯｉ、メニューオブジェクトＯｍ、およびボタンオブジェクトＯｂが配置されている。なお、メニューオブジェクトＯｍおよびボタンオブジェクトＯｂはアプリケーションプログラムウィンドウＷに表示されている。
【００３５】
また、表示装置３の画面上にはマウスポインタＰが表示されている。マウスポインタＰは前述の擬似ポインタ操作部１４で選択された移動命令に連動して移動し、オブジェクトＯ（Ｏｉ，Ｏｍ，Ｏｂ）を指示する。また、擬似ポインタ操作部１４で選択されたボタン押下命令に連動して当該オブジェクトに対する各種命令を発行する。
【００３６】
前記のとおり、オブジェクトおよびマウスポインタＰの位置はＯＳ１２に監視されている。また、マウスポインタ誘導プログラム１１の位置情報取得部１１ａはＯＳ１２が監視した位置を位置情報として取得する。
【００３７】
次に、マウスポインタ誘導プログラム１１の機能を説明する。
【００３８】
位置情報取得部１１ａは、ＯＳ１２が監視したマウスポインタＰおよびオブジェクトＯの位置情報（ポインタ位置情報およびオブジェクト位置情報）を所定の時間間隔でＯＳ１２から取得する。
【００３９】
位置情報記憶部１１ｂは、所定の時間間隔で取得したポインタ位置情報を蓄積する。ポインタ位置情報は過去の一定時間にわたる位置情報を保持しており、新たなポインタ位置情報が入力されると最も古いものから破棄される。また、位置情報記憶部１１ｂは所定の時間間隔で取得したオブジェクト位置情報を蓄積する。操作者のアプリケーションプログラム１３の操作あるいはＯＳ１２の命令により、オブジェクトの移動、生成、削除があった場合、当該オブジェクトの位置情報は所定の時間後に更新される。また、位置情報記憶部１１ｂは、操作者に提示すべきオブジェクトの各種情報を蓄積するオブジェクトリストをＲＡＭ上に有する。
【００４０】
情報提示判定部１１ｃは、現在および過去のポインタ位置情報からマウスポインタＰの移動量およびマウスポインタＰの進行方向θを算出し、個々のオブジェクトに対し、その存在を操作者に対してナビゲーション（操作指示案内）するか否かを判定する。
【００４１】
まず、オブジェクトリストを走査して個々のオブジェクトと現在のマウスポインタＰとの距離ｄを算出し、ポインタＰとの距離ｄが予め定義された距離しきい値Ｄ以下であるか否かを個々のオブジェクトに対して判定する。
【００４２】
さらに、現在および過去のポインタ位置情報からマウスポインタＰの進行方向を求め、個々のオブジェクトに対し、マウスポインタＰを結ぶ線分とポインタＰの進行方向とのなす角度θが予め定義された角度しきい値Θ以下であるか否かを判定する。
【００４３】
マウスポインタＰの現在の位置を（ｘ１，ｙ１）とし、（ｘ１，ｙ１）より一定時間過去に記録されたポインタＰの座標を（ｘ０，ｙ０）とする。また、オブジェクトＯの座標を（ｘ２，ｙ２）とすれば、
距離ｄおよび角度θは以下の式で表される。
【００４４】
【数１】
0003953753.tif 000002
【００４５】
なお、距離ｄが小さいほどマウスポインタＰに近い位置にオブジェクトが存在することを意味し、角度θが小さいほど、マウスポインタＰの進行方向に近い位置にオブジェクトが存在することを意味する。
【００４６】
情報提示判定部１１ｃは、距離ｄおよび角度θを予め定義した距離しきい値Ｄおよび角度しきい値Θとそれぞれ比較する。
【００４７】
ｄ≦Ｄかつθ≦Θのとき、操作者に当該オブジェクトの名称と距離、およびポインタＰを基準にした当該オブジェクトの方向をオブジェクトリストに記録する。
【００４８】
図３に距離しきい値Ｄおよび角度しきい値Θによるオブジェクトリストへの記録判定の概念図を示す。図３は表示装置３の画面の模式図である。
【００４９】
図３（１）は距離しきい値Ｄの概念図であり、画面上にはポインタＰの位置Ｎ（ｔ）、および画面上にオブジェクトＡ〜Ｄが配置されている。マウスポインタＰの個々のオブジェクトとの距離ｄと距離しきい値Ｄと比較する。比較の結果、距離ｄがＤ以下であるもの（図３（１）ではオブジェクトＢ〜Ｄ）がオブジェクトリストに追加される候補となる。
【００５０】
図３（２）は角度しきい値Θの概念図であり、図３（１）の距離しきい値処理に続いて処理される。
【００５１】
画面上にはマウスポインタＰの位置Ｎ（ｔ）およびオブジェクトＡ〜Ｄが配置されている。また、実際には表示されない一定時間過去のポインタＰの位置Ｍ（ｔ）が図３（２）中に表示されている。
【００５２】
まず、マウスポインタＰの進行方向を現在および過去のポインタ位置座標を結ぶ線分の延長線方向であると定義する。個々のオブジェクトと現在のポインタ位置Ｎ（ｔ）とを結ぶ直線と前述したポインタ進行方向とのなす角を角度しきい値Θと比較する。比較の結果、角度がΘ以下であるもの（図３（２）ではオブジェクトＡ〜Ｃ）がオブジェクトリストに追加される候補となる。
【００５３】
なお、角度しきい値Θによる処理と距離しきい値Ｄによる処理は順序が逆であっても結果は同様であり、その順序が変更可能であることはいうまでもない。
【００５４】
図３（１）および図３（２）の両方の条件を満たすもの（上記例ではオブジェクトＢ，Ｃ）をオブジェクトリストに追加する。
【００５５】
画面上の全てのオブジェクトに対して情報提示判定部１１ｃの処理が終了すると、情報提示部１１ｄが文字、音声またはグラフィカルな情報として操作者にオブジェクトリストの内容を通知する。
【００５６】
次に、第１の実施形態のマウスポインタ誘導方法の処理を図４のフローチャートを参照して説明する。
【００５７】
図４のフローチャートのうちステップ１０２からステップ１１４は、マウスポインタＰが表示装置３の画面上に存在する間、一定周期で連続的に実行される。
【００５８】
まず、操作者に提示すべきオブジェクトの情報が格納されたオブジェクトリストをクリアする（ステップ１０１）。
【００５９】
マウスポインタＰが画面上に存在するかを判定する（ステップ１０２）。
【００６０】
判定の結果マウスポインタＰが画面上に存在しない場合、処理を終了する。
【００６１】
マウスポインタＰが画面上に存在する場合、現在のマウスポインタＰの座標（ｘ，ｙ）をＯＳ１２から取得する（ステップ１０３）。
【００６２】
ステップ１０３で取得された座標をメモリ上のＦＩＦＯ（First In First Out）バッファに記録する（ステップ１０４）。ＦＩＦＯバッファは過去一定時間に取得された座標を蓄積するものとし、新たな座標がバッファに記録される際、最も古い座標履歴は消去されるものとする。
【００６３】
位置情報記録部１１ｂはＦＩＦＯバッファ内に所定の時間に相当する個数の座標履歴が蓄積されているか否かを判定する（ステップ１０５）。座標履歴が一定時間に満たない場合、ステップ１０３の処理に戻る。
【００６４】
以下にステップ１０５の処理において、バッファ内に過去一定時間の座標履歴が蓄積されている場合の処理を説明する。
【００６５】
画面上に存在する全てのオブジェクトの位置情報をＯＳ１２から取得する（ステップ１０６）。
【００６６】
取得されたオブジェクトの位置情報を１つ取り出す（ステップ１０７）。
【００６７】
オブジェクトとマウスポインタＰの距離ｄを算出する（ステップ１０８）。
【００６８】
距離ｄを予め定義した距離しきい値Ｄとを比較する（ステップ１０９）。
【００６９】
ｄ＞Ｄであった場合、ステップ１１３の処理へ移行する。
【００７０】
ｄ≦Ｄであった場合、現在の時刻ｔにおけるマウスポインタＰの座標Ｎ（ｔ）、およびＦＩＦＯバッファ内から抽出した一定時間過去の座標Ｍ（ｔ）を通る直線および、オブジェクトＯ（ｔ）とマウスポインタＰの現在の座標Ｎ（ｔ）を通る直線のなす角度θを算出する（ステップ１１０）。
【００７１】
なお、Ｍ（ｔ）は現在の時刻ｔを基準に一定時間過去の座標をＦＩＦＯバッファ内から抽出したものを用いる。
【００７２】
角度θを予め定義した角度しきい値Θとを比較する（ステップ１１１）。
【００７３】
θ＞Θであった場合、ステップ１１３の処理へ移行する。
【００７４】
θ≦Θであった場合、オブジェクトリストに当該オブジェクトの情報を追加する（ステップ１１２）。オブジェクトリストには、当該オブジェクトの名称、現在のポインタ位置からの距離ｄおよびポインタＰの進行方向とオブジェクトとの角度θを記録することができる。
【００７５】
ＯＳ１２から取得した全てのオブジェクトについて処理を行ったか否かを判定する（ステップ１１３）。
【００７６】
全てのオブジェクトについての処理が未終了であれば、ステップ１０７に移行する。
【００７７】
全てのオブジェクトについて処理を終了していれば、オブジェクトリストの内容を操作者に提示する（ステップ１１４）。
【００７８】
この後、操作者は提示されたオブジェクトリストの情報をもとに擬似ポインタＱを操作することによって所望のオブジェクトへマウスポインタＰを移動させることができる。
【００７９】
操作者への提示方法としては、図５の例に示すように、操作領域Ｓの近傍に情報出力領域を表示し、当該情報出力領域に文字情報としてオブジェクトリストの内容を通知する。
【００８０】
文字情報を情報出力領域に表示する通知の他に、オブジェクトリストの内容を音声情報に変換し、情報処理装置に接続されたスピーカ等を用いて操作者へ提示することもできる。さらに、オブジェクトリストに記載された個々のオブジェクトへの方向や距離を各種アイコンや色分け表示などを用い、図形によって操作者にグラフィカルに模式表示することもできる。
第２の実施形態
第２の実施形態はマウスポインタＰ近傍における現在の画面の一部を操作領域Ｓの近辺に表示するものである。
【００８１】
図６は第２の実施形態が実施される情報処理装置のブロック図である。
【００８２】
図１の、第１の実施形態の情報処理装置とは、マウスポインタ誘導プログラム１１の内容が一部異なっている。なお、擬似ポインタＱを用いたマウスポインタＰの操作方法は第１の実施形態のものと同じである。したがって、その説明を省略する。
【００８３】
以下、第２の実施形態のマウスポインタ誘導プログラム１１の機能を説明する。
【００８４】
位置情報取得部１１ａ′はＯＳ１２が監視したマウスポインタＰの位置情報（ポインタ位置情報）をＯＳ１２から取得する。情報提示判定部１１ｃ′は、マウスポインタＰが画面上に存在する間、情報提示部１１ｄ′を作動させる。情報提示部１１ｄ′は、画面上の、位置情報取得部１１ａ′が取得したポインタ位置座標を中心とする領域を複写し、図７に示すように操作領域Ｓの近辺に当該領域の画像情報を表示する。
【００８５】
次に、第２の実施形態のマウスポインタ誘導方法の処理を図８のフローチャートを参照して説明する。図８のフローチャートの処理は、マウスポインタＰが表示装置３の画面上に存在する間、一定周期で連続的に実行される。
【００８６】
まず、マウスポインタＰが画面上に存在するかを判定する（ステップ２０１）。判定の結果マウスポインタＰが画面上に存在しない場合、処理を終了する。マウスポインタＰが画面上に存在する場合、マウスポインタＰの現在の座標（ｘ，ｙ）をＯＳ１２から取得する（ステップ２０２）。次に、マウスポインタＰの周辺部における画像情報を記録する（ステップ２０３）。操作領域Ｓの近傍に、ステップ２０３で記録した画像情報を表示する（ステップ２０４）。表示する画像情報としては、ステップ２０３で取得した画像をそのまま（等倍で）表示することができるほか、縮小表示を行うことによって、ポインタＰ周辺のより広い範囲の状況を把握することができる。一方、拡大表示を行うことによって、例えば視力が弱い操作者であってもポインタＰ周辺の状況を的確に把握することができる。
【００８７】
なお、マウスポインタ誘導プログラム１１はフロッピィ・ディスク、ＣＤ−ＲＯＭ、光磁気ディスク等の可搬性の記録媒体に記録してもよい。
【００８８】
また、マウスポインタ誘導プログラムは第１の実施形態と第２の実施形態の両方の機能を備えていて、いずれかの機能を切換えて実行するものであってもよい。
【００８９】
【発明の効果】
以上説明したように、本発明は下記のような効果がある。
【００９０】
請求項１から４の発明によれば、操作者は所望のオブジェクトへマウスポインタを移動させる際、提示された操作指示案内の情報をもとに擬似ポインタを操作すればよく、マウスポインタを注視することなく擬似ポインタの操作に専念できるため、視線の移動に伴う疲労を低減できる。
【図面の簡単な説明】
【図１】本発明の第１の実施形態のマウスポインタ誘導方法が実施される情報処理装置のブロック図である。
【図２】図１の表示装置３の画面上のオブジェクトをポインタで指示する模式図である。
【図３】本発明の第１の実施形態のマウスポインタ誘導動作を説明する模式図であり、（１）は距離しきい値との比較を説明する模式図であり、（２）は角度しきい値との比較を説明する模式図である。
【図４】本発明の第１の実施形態のマウスポインタ誘導方法における処理のフローチャートである。
【図５】本発明の第１の実施形態のマウスポインタ誘導方法を説明する模式図であり、文字情報による操作案内を説明する模式図である。
【図６】本発明の第２の実施形態のマウスポインタ誘導方法が実施される情報処理装置のブロック図である。
【図７】本発明の第２の実施形態のマウスポインタ誘導方法を説明する模式図であり、操作領域Ｓの近傍におけるポインタ周辺画像情報の表示を説明する模式図である。
【図８】本発明の第２の実施形態のマウスポインタ誘導方法における処理のフローチャートである。
【符号の説明】
１    情報処理装置
２    記憶装置
３    表示装置
４    マウス代替装置
５    バス
１１    マウスポインタ誘導プログラム
１１ａ，１１ａ′    位置情報取得部
１１ｂ    位置情報記録部
１１ｃ，１１ｃ′    情報提示判定部
１１ｄ，１１ｄ′    情報提示部
１２    ＯＳ
１３    アプリケーションプログラム
１４    擬似ポインタ操作部
１０１〜１１４，２０１〜２０４    ステップ
【図１】
0003953753.tif 000003
【図２】
0003953753.tif 000004
【図３】
0003953753.tif 000005
【図４】
0003953753.tif 000006
【図５】
0003953753.tif 000007
【図６】
0003953753.tif 000008
【図７】
0003953753.tif 000009
【図８】
0003953753.tif 000010